(57)【要約】      （修正有）【課題】軽量、高強度、積み重ね可能でコストが低いパレット及びそれが適用される包装構造を提供する。【解決手段】包装構造は、パレット１及び箱体４０を含む。パレットは、載せ板１０、少なくとも１つの支持部２０及び少なくとも１つの緩衝部３０を含む。載せ板は、第１面１１及び第２面１２を有し、第１面と第２面が互いに対向する。支持部は、第１面に設けられて少なくとも１つの溝２１を形成し、溝は、載せ板の第１側から第２側に延伸し、第１側と第２側が互いに対向する。緩衝部は、第２面に設けられて収容座３１を形成し、収容座に被包装物９が収容され、載せ板に位置決めされる。箱体は、載せ板の第２面に配置され被包装物と緩衝部を覆う。【選択図】図７
0003219707.tif 000002
【実用新案登録請求の範囲】
【請求項１】
載せ板と、少なくとも1つの支持部と、少なくとも1つの緩衝部とを含むパレットであって、
前記載せ板は、第1面及び第2面を有し、前記第1面と前記第2面が互いに対向しており、
前記少なくとも1つの支持部は、前記第1面に設けられて少なくとも1つの溝を形成し、該溝は、前記載せ板の第1側から前記載せ板の第2側に延伸し、前記第1側と前記第2側は互いに対向しており、
前記少なくとも1つの緩衝部は、前記第2面に設けられて収容座を形成し、前記収容座に被包装物が収容され、且つ前記被包装物が前記載せ板に位置決めされているパレット。
【請求項２】
前記載せ板は、少なくとも1つの第1位置決め部を含み、前記第1位置決め部は、前記載せ板の該第1側及び該第2側に設けられ、且つ前記少なくとも1つの溝に連通し、前記載せ板の前記第2面に箱体が配置されており、前記箱体は、前記被包装物及び前記少なくとも1つの緩衝部を覆い、且つ少なくとも1つの第2位置決め部を含み、該第2位置決め部は、前記箱体の底辺から下に延伸し、且つ前記載せ板の前記少なくとも1つの第1位置決め部に対向しており、前記箱体が前記載せ板の前記第2面に配置され前記被包装物及び前記少なくとも1つの緩衝部を覆っている場合に、前記少なくとも1つの第1位置決め部と前記第2位置決め部が互いに噛み合い、前記少なくとも1つの第1位置決め部及び前記少なくとも1つの第2位置決め部は、それぞれ位置決め凹溝及び位置決めタブである請求項1に記載のパレット。
【請求項３】
前記パレット及び前記箱体に少なくとも1つのベルトがさらに配置されており、前記箱体が前記パレットの前記載せ板の前記第2面に配置され前記被包装物及び前記少なくとも1つの緩衝部を覆っている場合に、前記ベルトは、前記少なくとも1つの第1位置決め部、前記少なくとも1つの第2位置決め部及び前記少なくとも1つの溝に対して前記パレットの前記載せ板の前記第1面及び前記箱体の外周に周設されている請求項2に記載のパレット。
【請求項４】
前記箱体と前記被包装物との間に少なくとも1つの補助緩衝部がさらに配置されており、前記箱体が前記パレットの前記載せ板の前記第2面に配置され前記被包装物を覆っている場合に、前記少なくとも1つの補助緩衝部は、前記箱体と前記被包装物との間に緊密に配置され、前記載せ板は、第3側及び第4側を含み、前記第3側と前記第4側が互いに対向し、且つそれぞれ前記第1側と前記第2側との間に接続され、前記第1側と前記第2側の長さは、前記第3側と前記第4側の長さよりも長い請求項2又は3に記載のパレット。
【請求項５】
前記少なくとも1つの支持部は、前記載せ板の前記第1面にアレイ状に並んでいる複数の矩形ブロックを含み、前記少なくとも1つの溝は、隣接する2つの矩形ブロックの間に形成されている請求項1に記載のパレット。
【請求項６】
パレットと、載せ板と、少なくとも1つの支持部と、少なくとも1つの緩衝部と、箱体とを含む包装構造であって、
前記載せ板は、第1面及び第2面を有し、前記第1面と前記第2面が互いに対向しており、
前記少なくとも1つの支持部は、前記第1面に設けられて少なくとも1つの溝を形成し、該溝は、前記載せ板の第1側から前記載せ板の第2側に延伸し、前記第1側と前記第2側が互いに対向しており、
前記少なくとも1つの緩衝部は、前記第2面に設けられて収容座を形成し、前記収容座に被包装物が収容され、且つ前記被包装物が前記載せ板に位置決めされ、
前記箱体は、前記載せ板の前記第2面に配置され、前記被包装物及び前記少なくとも1つの緩衝部を覆う包装構造。
【請求項７】
前記載せ板は、少なくとも1つの第1位置決め部を含み、前記第1位置決め部は、前記載せ板の前記第1側及び前記第2側に設けられ、且つ前記少なくとも1つの溝に連通し、前記箱体は、少なくとも1つの第2位置決め部を含み、該第2位置決め部は、前記箱体の底辺から下に延伸し、且つ前記載せ板の前記少なくとも1つの第1位置決め部に対向しており、前記箱体が前記載せ板の前記第2面に配置され前記被包装物及び前記少なくとも1つの緩衝部を覆っている場合に、前記少なくとも1つの第1位置決め部と前記第2位置決め部が互いに噛み合い、前記少なくとも1つの第1位置決め部及び前記少なくとも1つの第2位置決め部は、それぞれ位置決め凹溝及び位置決めタブであり、前記包装構造は、少なくとも1つのベルトをさらに含み、前記箱体が前記パレットの前記載せ板の前記第2面に配置され前記被包装物及び前記少なくとも1つの緩衝部を覆っている場合に、前記ベルトは、前記少なくとも1つの第1位置決め部、前記少なくとも1つの第2位置決め部及び前記少なくとも1つの溝に対して前記パレットの前記載せ板の前記第1面及び前記箱体の外周に周設されている請求項6に記載の包装構造。
【請求項８】
少なくとも1つの補助緩衝部をさらに含み、前記箱体が前記パレットの前記載せ板の前記第2面に配置され前記被包装物を覆っている場合に、前記少なくとも1つの補助緩衝部は、前記箱体と前記被包装物との間に緊密に配置されている請求項6又は7に記載の包装構造。
【請求項９】
前記載せ板は、第3側及び第4側を含み、前記第3側と前記第4側が互いに対向し、且つそれぞれ前記第1側と前記第2側との間に接続され、前記第1側と前記第2側の長さは、前記第3側と前記第4側の長さよりも長い請求項6又は7に記載の包装構造。
【請求項１０】
前記少なくとも1つの支持部は、前記載せ板の前記第1面にアレイ状に並んでいる複数の矩形ブロックを含み、前記少なくとも1つの溝は、隣接する2つの矩形ブロックの間に形成されている請求項6に記載の包装構造。
【考案の詳細な説明】
【技術分野】
【０００１】
本考案は、パレット構造に関し、特に軽量、高強度、積み重ね可能でコストが低いパレット及びそれが適用される包装構造に関する。
【背景技術】
【０００２】
従来のパレット構造は、主に木材で作製され、その製造や組み立てが困難であり、構造自体の体積及び重量が大きいため、貨物を積載や搬送するときの柔軟性及び利便性に影響を与えることがある。また、コストの高い問題に加えて、木製のパレットには虫卵が寄生しやすいため、制限のある地域や国への貨物積載、搬送に適用することができない。その応用範囲は限られている。
【０００３】
一方、従来のパレット構造は、例えば紙箱で包装された貨物を積載するときに、貨物を効果的に固定できず、適度に堆積した紙箱及びパレットが運搬の時に滑りや歪み等が発生しやすい。また、ベルト等の包装材料の適用が困難で、貨物の積み重ねがさらに困難であるため、高効率の運搬を達成できない。
【０００４】
上記のことを鑑みて、従来技術における問題を解決するために、軽量、高強度、積み重ね可能で、コストが低いパレット及びそれが適用される包装構造を提供する必要がある。
【考案の概要】
【０００５】
本考案は、軽量、高強度、積み重ね可能で、コストが低いパレット及びそれが適用される包装構造を提供することを目的とする。発泡材料で作製される包装構造のパレット及び箱体構造によれば、環境に優しい軽量の包装構造を提供することができ、コストが低い。また、発泡材料でパレットの載せ板、支持部、緩衝部及び補助緩衝部等を構成することにより、環境に優しく、軽量でコストが低いことに加えて、パレットの載せ板、支持部、緩衝部及び補助緩衝部等が載せられ、支持、緩衝、位置決め及び保護等の機能を発揮するのに十分な機構強度を提供することにも有利である。支持部によって画定した溝により、フォークトラックのフォークを用いて運搬作業を行うことができる。また、パレットと箱体は位置決め部により互いに噛み合うことにより包装手順を簡単化することができ、さらにベルトをパレット及び箱体に周設することにより、被包装物をより平らで堅固に包装構造内に包装することができ、後続の運搬及び積み重ね作業に有利であり、高効率の運送の目的を達成する。
【０００６】
上記目的を達成するために、本考案は、パレットを提供する。該パレットは、載せ板、少なくとも1つの支持部及び少なくとも1つの緩衝部を含む。載せ板は、第1面及び第2面を有し、第1面と第2面が互いに対向する。少なくとも1つの支持部は、第1面に設けられて少なくとも1つの溝を形成し、該溝は載せ板の第1側から載せ板の第2側に延伸し、第1側と第2側が互いに対向する。少なくとも1つの緩衝部は、第2面に設けられて収容座を形成し、収容座に被包装物が収容され、被包装物が載せ板に位置決めされる。
【０００７】
上記目的を達成するために、本考案は、パレット及び箱体を含む包装構造をさらに提供する。パレットは、載せ板、少なくとも1つの支持部及び少なくとも1つの緩衝部を含む。載せ板は、第1面及び第2面を有し、第1面と第2面が互いに対向する。少なくとも1つの支持部は第1面に設けられて少なくとも1つの溝を形成し、該溝は載せ板の第1側から載せ板の第2側に延伸し、第1側と第2側が互いに対向する。少なくとも1つの緩衝部は、第2面に設けられて収容座を形成し、収容座に被包装物が収容され、被包装物が載せ板に位置決めされる。箱体は、載せ板の第2面に配置され、被包装物及び少なくとも1つの緩衝部を覆う。
【図面の簡単な説明】
【０００８】
【図１】図1は、本考案の第1の好適な実施例のパレットの斜視構造図である。
【図２】図2は、本考案の第1の好適な実施例のパレットを別の視角から見た斜視構造図である。
【図３】図3は、本考案の第1の好適な実施例のパレットに被包装物が載せられた様子を示す模式図である。
【図４】図4は、本考案の第2の好適な実施例のパレット及び箱体の包装構造の斜視構造図である。
【図５】図5は、本考案の第2の好適な実施例のパレット及び箱体の包装構造を別の視角から見た斜視構造図である。
【図６】図6は、本考案の第2の好適な実施例のパレット及び箱体の包装構造を組み立てた様子を示す模式図である。
【図７】図7は、本考案の第3の好適な実施例の包装構造の分解図である。
【図８】図8は、本考案の第3の好適な実施例の包装構造を別の視角から見た分解図である。
【図９】図9は、本考案の第4の好適な実施例の包装構造の斜視構造図である。
【図１０】図10は、本考案の第4の好適な実施例の包装構造を別の視角から見た斜視構造図である。
【図１１】図11は、本考案の第5の好適な実施例のパレット及び箱体の包装構造の斜視構造図である。
【図１２】図12は、本考案の第5の好適な実施例のパレット及び箱体の包装構造を別の視角から見た斜視構造図である。
【図１３】図13は、本考案の第5の好適な実施例のパレット及び箱体の包装構造を組み立てた様子を示す模式図である。
【図１４】図14は、本考案の第6の好適な実施例の包装構造の分解図である。
【図１５】図15は、本考案の第6の好適な実施例の包装構造を別の視角から見た分解図である。
【図１６】図16は、本考案の第7の好適な実施例の包装構造の斜視構造図である。
【図１７】図17は、本考案の第7の好適な実施例の包装構造を別の視角から見た斜視構造図である。
【考案を実施するための形態】
【０００９】
以下、本考案の特徴及び利点を示す典型的な実施例を詳しく説明する。理解されるべきであることは、本考案の異なる態様には様々な変化があり、何れも本考案の範囲に含まれ、それについての説明及び図面は本質的に説明するためのものであり、本考案を制限するものではない。
【００１０】
図1は、本考案の第1の好適な実施例のパレットの斜視構造図である。図2は、本考案の第1の好適な実施例のパレットの於別の視角から見た斜視構造図である。図3は、本考案の第1の好適な実施例のパレットに被包装物が載せられている様子を示す模式図である。図に示すように、本考案のパレット1は、載せ板10、少なくとも1つの支持部20、及び少なくとも1つの緩衝部30を含む。本実施例では、載せ板10は、例えば、発泡ポリエチレン板からなり、発泡密度が例えば35倍とされることにより、載せるために十分な機械強度を提供すると共に、軽量の特性を維持する。載せ板10は、第1面11及び第2面12を有し、第1面11及び第2面12は、例えば、載せ板10の下面と上面であり、互いに対向する。本実施例では、少なくとも1つの支持部20は、例えば、発泡ポリプロピレンブロックからなり、発泡密度が例えば30倍とされることにより、支持及び緩衝のために十分な機械強度を提供すると共に、軽量の特性を維持する。少なくとも1つの支持部20は、第1面11、例えば、載せ板10の下面に設けられ、少なくとも1つの溝21を形成し、載せ板10の第1側10aから載せ板の第2側10bに延伸し、第1側10aと第2側10bとが互いに対向する。本実施例では、少なくとも1つの支持部20は、例えば、3本の長方形ブロックであり、載せ板10の第1面11にアレイ状に並んで第1側10aから第2側10bに延伸する2つの溝21を形成し、溝21は、隣接する2つの長方形ブロックの間に形成される。本実施例では、少なくとも1つの緩衝部30は、例えば、発泡ポリエチレンブロックからなり、発泡密度が例えば18倍とされることにより、緩衝及び位置決めのために十分な機械強度を提供すると共に、軽量の特性を維持する。少なくとも1つの緩衝部30は、第2面12、例えば、載せ板10の上面に設けられ、且つ収容座31、即ち、図1における複数の発泡ポリエチレンブロックを有する緩衝部によって画定された点線領域を形成する。図3に示すように、収容座31には被包装物9が収容され、且つ被包装物9が載せ板10上に位置決めされている。本実施例では、上記発泡材料からなる載せ板10、支持部20及び緩衝部30は、例えば、高分架橋反応又は接着層により互いに接着され得るが、この限りではない。また、本実施例では、被包装物9は、例えば、重い事務機器であり、パレット1の載せ板に載せられ位置決めされた後、溝21を介して、例えば、フォークトラックにより運搬することができる。被包装物9の底面91は、収容座31に類似する外輪郭を有する。一実施例では、載せ板10は、第1側10a及び第2側10bに加えて、第3側10c及び第4側10dを含み、第3側10cと第4側10dとが互いに対向し、それぞれ第1側10aと第2側10bとの間に接続され、溝21の両端にある第1側10aと第2側10bの長さが第3側10cと第4側10dの長さよりも長い。それによって、溝21を介して、例えば、フォークトラックにより運搬するときに、運搬の安定性を維持することができる。無論、本考案はこの限りではない。
【００１１】
図4は、本考案の第2の好適な実施例のパレット及び箱体の包装構造を示す斜視構造図である。図5は、本考案の第2の好適な実施例のパレット及び箱体の包装構造を別の視角から見た斜視構造図である。図6は、本考案の第2の好適な実施例のパレット及び箱体の包装構造を組み立てた様子を示す模式図である。本実施例では、包装構造2のパレット1は、図1〜図3に示すパレット1に類似し、同じ符号は同じ部品、構造及び機能を示す。本実施例では、パレット1には、包装構造2を形成するように箱体40がさらに配置されている。本実施例では、箱体40は、例えば、低密度ポリエチレン平頂箱体であるが、この限りではない。本実施例では、載せ板10は、少なくとも1つの第1位置決め部13を含み、該第1位置決め部13は、載せ板10の第1側10aと第2側10bとの間に設けられ、且つ少なくとも1つの溝21に連通する。箱体40は、載せ板10の第2面12、即ち、載せ板10の上面に配置されている。箱体40の内部の収容空間42が載せ板10の第2面12にある収容座31に対向することにより、箱体40は、被包装物9(図3を参照)及び少なくとも1つの緩衝部30を覆うことができる。載せ板10の少なくとも1つの第1位置決め部13に対応して、箱体40は、少なくとも1つの第2位置決め部41を含む。第2位置決め部41は、箱体40の底辺から下に延伸し、且つ載せ板10の少なくとも1つの第1位置決め部に対向する。箱体40が載せ板10の第2面12に配置されて被包装物9及び少なくとも1つの緩衝部30を覆うときに、少なくとも1つの第1位置決め部13と第2位置決め部41とが互いに噛み合う（図6を参照）。本実施例では、少なくとも1つの第1位置決め部13及び少なくとも1つの第2位置決め部41は、それぞれ例えば、位置決め凹溝及び位置決めタブであり得るが、この限りではない。また、本実施例では、箱体40の底辺の輪郭は、載せ板10の第2面12の輪郭に類似し、且つ少なくとも1つの緩衝部30と第2面12のエッジとの距離は箱体40の厚さであり得る。それによって、箱体40と載せ板10との組合せ及び第2位置決め部41と第1位置決め部13との噛み合いに有利である。このようにして、パレット1と箱体40からなる包装構造2により、被包装物9に対するパッケージ及び運搬を達成することができる。
【００１２】
図7は、本考案の第3の好適な実施例の包装構造を示す分解図である。図8は、本考案の第3の好適な実施例の包装構造を別の視角から見た分解図である。本実施例では、包装構造2aは、図3〜図6に示す包装構造2と類似し、同じ符号は同じ部品、構造及び機能を示す。本実施例では、包装構造2aは、少なくとも1つの補助緩衝部50をさらに含む。箱体40がパレット1の載せ板10の第2面12に配置され被包装物9を覆っている場合に、少なくとも1つの補助緩衝部50は、箱体40と被包装物9との間に緊密に配置されている。本実施例では、少なくとも1つの補助緩衝部50は、例えば、発泡ポリエチレンブロックからなり、発泡密度は例えば25倍であることにより、保護及び緩衝のために十分な機械強度を提供する。本実施例では、2つの発泡ポリエチレンブロックからなる補助緩衝部50は、例えば、被包装物9を挟むように被包装物9の頂面に固定される。また、被包装物9の頂面92に対向して、補助緩衝部50に緩衝座51がされに設けられることにより、補助緩衝部51が被包装物9の頂面92に密接することができ、緩衝及び保護の効果を奏する。一実施例では、緩衝座51の輪郭は、被包装物9の頂面92の輪郭に類似するが、本考案はこの限りではない。また、補助緩衝部50の緩衝座51と反対の頂面は、例えば平坦面であることにより、箱体40が補助緩衝部50の頂面に密接することができ、被包装物9に対する堅固の包装を達成する。なお、上記包装構造2aにより、被包装物9に対する堅固なパッケージングを達成することができ、且つパレット1、補助緩衝部50及び箱体40により、十分な支持強度を有する平らな包装頂面を得ることができ、それによって、包装構造2aで被包装物9を包装した後、さらに積み重ね作業を行うことができ、高効率な運搬に有利である。無論、本考案はこの限りではない。
【００１３】
図9は、本考案の第4の好適な実施例の包装構造を示す斜視構造図である。図10は、本考案の第4の好適な実施例の包装構造を別の視角から見た斜視構造図である。本実施例では、包装構造2bは、図7〜図8に示す包装構造2aと類似し、同じ符号は同じ部品、構造及び機能を示す。本実施例では、包装構造2bは、少なくとも1つのベルト60をさらに含む。箱体40がパレット1の載せ板10の第2面12に配置され被包装物9と少なくとも1つの緩衝部30を覆っている場合に(図7、図8を参照)、ベルト60は、少なくとも1つの第1位置決め部13、少なくとも1つの第2位置決め部41及び少なくとも1つの溝21に対してパレット1の載せ板10の第1面11及び箱体40の外周に周設されることにより、包装構造2bによる被包装物9の包装がより堅固であり、運搬及び積み重ね作業に有利であり、高効率の運搬を達成することができる。無論、本考案はこの限りではない。本実施例では、第2位置決め部41は、例えば、可撓性の位置決めタブであり、少なくとも1つのベルト60がパレット1の載せ板10の第1面11及び箱体40の外周に周設されている場合に、曲げ部41aで載せ板10の第1面11の内部に向かって曲げることで包装構造2bを構成することができる。別の実施例では、上記曲げ部41aは、例えば、プレハブによるバーブ構造でもよいが、本考案はこの限りではない。
【００１４】
図11は、本考案の第5の好適な実施例のパレット及び箱体の包装構造を示す斜視構造図である。図12は、本考案の第5の好適な実施例のパレット及び箱体の包装構造を別の視角から見た斜視構造図である。図13は、本考案の第5の好適な実施例のパレット及び箱体の包装構造が組み立てられた様子を示す図である。本実施例では、包装構造2cは、図3〜図6に示す包装構造2に類似し、同じ符号は同じ部品、構造及び機能を示す。本実施例では、少なくとも1つの支持部20は、例えば、9つの矩形ブロックを含み、載せ板10の第1面11に、例えば3×3のアレイ状に並んで4つの溝21を形成し、各溝21が隣接する2つの矩形ブロックの間に形成されている。2つの溝21は、第1側10aから第2側10bに延伸し、もう2つの21は、第3側10cから第4側10dに延伸する。溝21を介して包装構造2cの運搬又は積み重ね作業を行うときに、フォークトラックのフォークは、第1側10a、第2側10b、第3側10c又は第4側10dから溝21に挿入できることにより、運搬又は積み重ね作業の柔軟性及び効率を向上させることができる。
【００１５】
図14は、本考案の第6の好適な実施例の包装構造を示す分解図である。図15は、本考案の第6の好適な実施例の包装構造を別の視角から見た分解図である。本実施例では、包装構造2dは、図7〜図8に示す包装構造2aに類似し、同じ符号は同じ部品、構造及び機能を示す。本実施例では、包装構造2dは、同様に少なくとも1つの補助緩衝部50を含む。箱体40がパレット1の載せ板10の第2面12に配置され被包装物9を覆っている場合に、少なくとも1つの補助緩衝部50は、箱体40と被包装物9との間に緊密に配置されている。本実施例では、少なくとも1つの補助緩衝部50は、例えば、発泡ポリエチレンブロックからなり、発泡密度は例えば25倍であることにより、保護及び緩衝のために十分な機械強度を提供する。本実施例では、2つの発泡ポリエチレンブロックからなる補助緩衝部50は、例えば、被包装物9を挟むように被包装物9の頂面に固定され得る。また、被包装物9の頂面92に対向して、補助緩衝部50には緩衝座51がさらに形成されることにより、補助緩衝部51が被包装物9の頂面92に密接することができ、緩衝及び保護の効果を奏する。一実施例では、緩衝座51の輪郭は、被包装物9の頂面92の輪郭に類似するが、本考案はこの限りではない。また、補助緩衝部50の緩衝座51と反対の頂面は、例えば平坦面であることにより、箱体40が補助緩衝部50の頂面に密接することができ、被包装物9に対する堅固な包装を達成する。なお、上記包装構造2aにより、被包装物9に対する堅固なパッケージングを達成することができ、且つパレット1、補助緩衝部50及び箱体40により、十分な支持強度を有する平らな包装頂面を得ることができ、それによって、包装構造2dで被包装物9を包装した後、さらに積み重ね作業を行うことができ、高効率な運搬に有利である。無論、本考案はこの限りではない。
【００１６】
図16は、本考案の第7の好適な実施例の包装構造を示す斜視構造図である。図17は、本考案の第7の好適な実施例の包装構造を別の視角から見た斜視構造図である。本実施例では、包装構造2eは、図14〜図15に示す包装構造2dに類似し、同じ符号は同じ部品、構造及び機能を示す。本実施例では、包装構造2eは、少なくとも1つのベルト60をさらに含む。箱体40がパレット1の載せ板10の第2面12に配置され被包装物9と少なくとも1つの緩衝部30を覆っている場合に(図14、図15を参照)、ベルト60は、少なくとも1つの第1位置決め部13、少なくとも1つの第2位置決め部41及び少なくとも1つの溝21に対してパレット1の載せ板10の第1面11及び箱体40の外周に周設されることにより、包装構造2eによる被包装物9の包装がより堅固であり、運搬及び積み重ね作業に有利であり、高効率の運搬を達成することができる。本実施例では、少なくとも1つの支持部20は、例えば、9つの矩形ブロックを含み、載せ板10の第1面11に、例えば、3×3のアレイ状に並んで互いに交差する4つの溝21を形成する。それによって、包装構造2eは、4本のベルト60が交差してパレット1の載せ板10の第1面11及び箱体40の外周に周設されることにより、包装構造2eによる被包装物9の包装がより堅固である。無論、本考案はこの限りではない。別の実施例では、一部の第1位置決め部12及び対向する第2位置決め部41の配置又はベルト60の配置を省略してもよいが、本考案はこの限りではない。
【００１７】
上述した通り、本考案は、軽量、高強度、積み重ね可能で、コストが低いパレット及びそれが適用される包装構造を提供する。発泡材料で作製される包装構造のパレット及び箱体構造によれば、環境に優しい軽量の包装構造を提供することができ、コストが低い。また、発泡材料でパレットの載せ板、支持部、緩衝部及び補助緩衝部等を構成することにより、環境に優しく、軽量でコストが低いことに加えて、パレットの載せ板、支持部、緩衝部及び補助緩衝部等が載せ、支持、緩衝、位置決め及び保護等の機能を発揮するのに十分な機構強度を提供することにも有利である。支持部によって画定した溝により、フォークトラックのフォークを用いて運搬作業を行うことができる。また、パレットと箱体は位置決め部により互いに噛み合うことにより包装手順を簡単化することができ、さらにベルトをパレット及び箱体に周設することにより、被包装物をより平らで堅固に包装構造内に包装することができ、後続の運搬及び積み重ね作業に有利であり、高効率の運送の目的を達成する。
【００１８】
当業者であれば、本考案の範囲内で変更や修正を加えることができ、いずれも実用新案登録請求の範囲に含まれる。
【符号の説明】
【００１９】
1:パレット
2、2a、2b、2c、2d、2e:包装構造
10:載せ板
10a:第1側
10b:第2側
10c:第3側
10d:第4側
11:第1面
12:第2面
13:第1位置決め部
20:支持部
21:溝
30:緩衝部
31:収容座
40:箱体
41:第2位置決め部
41a:曲げ部
42:収容空間
50:補助緩衝部
51:緩衝座
60:ベルト
9:被包装物
91:底面
92:頂面
【図１】
0003219707.tif 000003
【図２】
0003219707.tif 000004
【図３】
0003219707.tif 000005
【図４】
0003219707.tif 000006
【図５】
0003219707.tif 000007
【図６】
0003219707.tif 000008
【図７】
0003219707.tif 000009
【図８】
0003219707.tif 000010
【図９】
0003219707.tif 000011
【図１０】
0003219707.tif 000012
【図１１】
0003219707.tif 000013
【図１２】
0003219707.tif 000014
【図１３】
0003219707.tif 000015
【図１４】
0003219707.tif 000016
【図１５】
0003219707.tif 000017
【図１６】
0003219707.tif 000018
【図１７】
0003219707.tif 000019